(57)【特許請求の範囲】
【請求項１】
煙道ガスダクトにおいて第１のガス流と第２のガス流とを混合された流れに混合するためのダンパ混合装置であって、
複数の調節可能なルーバを有する第１の列のセットを備え、各ルーバは、回転軸において回動可能なルーバベーンを有し、これにより、該ルーバベーンは、該ルーバベーンを通過する煙道ガスを混合させる第１の方向に位置決めされるか、又は１つのガス流のみが受け取られている場合には鉛直に位置決めされ、
前記第１の列のセットと交互に配置された第２の列のセットを備え、該第２の列のセットは、複数の調節可能なルーバを有し、各ルーバは、回転軸において回動可能なルーバベーンを有し、これにより、該ルーバベーンは、ガス流を混合させる、第１の方向とは異なる方向に角度づけられるか、又は１つのガス流のみが有効に受け取られている場合には鉛直に位置決めされ、
前記ルーバに接続された制御ユニットを備え、該制御ユニットは、少なくとも２つの流れが受け取られている場合には前記ルーバベーンを適切な角度づけられた位置に位置決めし、かつ１つのガス流のみが有効に受け取られている場合には前記ルーバベーンを鉛直に位置決めすることを特徴とする、ダンパ混合装置。
【請求項２】
前記制御ユニットは、少なくとも２つのガス流が受け取られているときに、任意の列の全てのルーバを同じ角度に角度づける、請求項１記載の装置。
【請求項３】
前記制御ユニットは、少なくとも２つのガス流が受け取られているときに、任意の列における全てのルーバを同じ方向であって、隣接する列の全てのルーバの角度とは反対の方向に角度づける、請求項１記載の装置。
【請求項４】
さらに、前記第１のガス流の流れを制御するために働く入口制御ダンパと、
前記第２のガス流の流れを制御するために働くバイパス制御ダンパと、
前記混合された流れにおける温度を測定しかつ該温度を前記制御ユニットに提供して該制御ユニットが前記入口制御ダンパ及び前記バイパス制御ダンパを操作するようにするための、前記制御ユニットに接続された、前記混合された流れにおける上部温度センサと、を備える、請求項１記載の装置。
【請求項５】
前記制御ユニットに接続された、前記入口制御ダンパのすぐ上流における下部温度センサをさらに備え、該下部温度センサは、前記第１の流れの温度を測定して、該温度を前記制御ユニットに提供する、請求項４記載の装置。
【請求項６】
前記制御ユニットに接続された、前記バイパス制御ダンパのすぐ上流におけるバイパス温度センサをさらに備え、該バイパス温度センサは、前記第２のガス流の温度を測定して、該温度を前記制御ユニットに提供する、請求項５記載の装置。
【請求項７】
さらに、前記ダンパ制御混合装置のすぐ上流における第１の圧力センサと、
前記ダンパ制御混合装置のすぐ下流における第２の圧力センサとを備え、前記圧力センサは、前記ダンパ制御混合装置の前後における圧力降下を測定しかつ圧力降下測定を前記制御ユニットに提供してルーバ角度を調節し、許容可能な煙道ガス混合を提供しながら圧力降下を最小限に減じる、請求項１記載の装置。
【請求項８】
前記制御ユニットは、さらに、変化するボイラ負荷下でルーバ位置を繰り返し変化させて、圧力降下を最適化しかつ混合効率を最大化するルーバ設定を決定する、請求項１記載の装置。
【請求項９】
１つの列におけるルーバは、異なる角度に独立して調節される、請求項１記載の装置。
【請求項１０】
様々な負荷において運転する炉から煙道ガスを受け取るためのバックパスを有する煙道ガスダクトシステムであって、
前記煙道ガスから熱を取り出すために機能するバックパス内の少なくとも１つの熱交換器と、
前記煙道ガスを受け取るための、前記バックパスの出口に接続された煙道ガス導管である下側煙道部分と、
下流の煙道ガス処理装置に接続された煙道ガス導管である上側煙道部分と、
前記下側煙道部分から前記上側煙道部分へ前記煙道ガスを搬送するための煙道ガス導管である中間煙道部分と、
エコノマイザの上流において前記バックパスに配置されておりかつ前記中間煙道部分に接続された煙道ガス導管であるバイパスと、
前記下側煙道部分から前記中間煙道部分へ流れる前記煙道ガスの量を調節するための、前記下側ダクト内の入口制御ダンパと、
前記エコノマイザをバイパスする、前記バックパスから前記中間ダクトへ通過する煙道ガスの量を制御するための、前記バイパスダクト内のバイパス制御ダンパと、
前記煙道ガスダクトにおける２つのガス流を混合するためのダンパ混合装置と、を備え、該ダンパ混合装置は、
複数のルーバを有する第１の列のセットを備え、各ルーバは、回転軸において回動可能な調節可能なルーバベーンを有し、これにより、該ルーバベーンは、少なくとも２つのガス流が受け取られているときには第１の方向に角度づけられ、前記ルーバベーンを通過する煙道ガスを混合させるか、又は１つのガス流のみが有効に受け取られているときには鉛直に位置決めされ、
前記第１の列のセットと交互に配置された第２の列のセットを備え、各第２の列のセットは、回転軸において回動可能な調節可能なルーバベーンを備えるルーバを有し、これにより、ルーバベーンは、該ルーバベーンを通過するガス流が混合されるように方向付けられるために、前記第１の方向とは異なる方向に角度づけられるか、又は１つのガス流のみが受け取られているときには鉛直に位置決めされ、
少なくとも２つのガス流が受け取られているときには適切な角度づけられた位置に前記ルーバベーンを位置決めし、１つのガス流のみが有効に受け取られているときには前記ルーバベーンを鉛直に位置決めするための、前記ルーバに接続された制御ユニットを備えることを特徴とする、煙道ガスダクトシステム。
【請求項１１】
前記制御ユニットは、少なくとも２つのガス流が受け取られているときには、任意の列の全てのルーバを同じ角度に角度づける、請求項１０記載の装置。
【請求項１２】
前記制御ユニットは、少なくとも２つのガス流が受け取られているときには、任意の列における全てのルーバを同じ方向であって、隣接する列の全てのルーバの角度とは反対の方向に角度づける、請求項１０記載の装置。
【請求項１３】
前記制御ユニットが前記入口制御ダンパと前記バイパス制御ダンパとを開放させる量を決定することを可能にする、前記上側煙道部分における温度を測定するための、前記制御ユニットに接続された、前記上側部分における上部温度センサを備える、請求項１０記載の装置。
【請求項１４】
前記下側煙道部分における煙道ガスの温度を提供するために、前記制御ユニットに接続された、前記入口制御ダンパのすぐ上流における下部温度センサをさらに備える、請求項１３記載の装置。
【請求項１５】
前記バイパスダクトにおける前記煙道ガスの温度を提供するための、前記制御ユニットに接続された、前記バイパス制御ダンパのすぐ上流におけるバイパス温度センサをさらに備える、請求項１４記載の装置。
【請求項１６】
前記ダンパ制御混合装置のすぐ上流における第１の圧力センサと、
前記ダンパ制御混合装置のすぐ下流における第２の圧力センサとを備え、前記圧力センサは、前記ダンパ制御混合装置の前後の圧力降下を測定し、許容可能な煙道ガス混合を提供しながら前記圧力降下を最小限に減じるように前記ルーバの角度を調節するために前記圧力測定を制御ユニットに提供するように作用する、請求項１０記載の装置。
【請求項１７】
前記制御ユニットは、さらに、圧力降下を最適化しかつ混合効率を最大化するルーバ角度を決定するために、変化するボイラ負荷においてルーバ角度を繰り返し変化させる、請求項１０記載の装置。
【請求項１８】
任意の列におけるルーバは、様々な角度に調節される、請求項１０記載の装置。
【請求項１９】
前記２つのガス流は、窒素を含まない環境において燃料を燃焼させることにより生じる煙道ガスである、請求項１記載の装置。
【発明の詳細な説明】
【技術分野】
【０００１】
本開示は、流動する２つの燃焼ガス流を効率的に混合しかつ変化する炉の負荷におけるガス背圧を低減する装置を開示する。
【背景技術】
【０００２】
ボイラ又は蒸気発生器のような多くの用途において異なる温度のガスを混合することが一般的である。例えば、ボイラの炉が全負荷で運転しているときに全ての高温の煙道ガスはエコノマイザを通過させられる。エコノマイザは、煙道ガスから熱を回収し、ボイラへ再び循環させられる給水を予熱する。出てくる、結果として生じる煙道ガスは、熱伝達により、より低温である。したがって、熱はボイラへリサイクルされ、ボイラ効率を高める。
【０００３】
しかしながら、炉／ボイラが低負荷で運転している場合、全ての煙道ガスがエコノマイザを通過させられると、煙道ガスの温度は、選択的触媒還元（"ＳＣＲ"）システムにおける煙道ガスからのＮＯ、ＮＯ2（集合的にＮＯｘと称される）の触媒除去のような、ある化学的プロセスのために要求される臨界温度よりも低下する。触媒反応は温度に依存するので、ＳＣＲは、要求される機能を満足に行うために特定の温度範囲において機能しなければならない。
【０００４】
したがって、低いボイラ負荷条件においては、煙道ガスの一部のみがエコノマイザを通過するべきであり、残りは、より高い温度を維持するためにエコノマイザをバイパスすべきである。これらの２つのガス流は、次いで混合され、所要の温度範囲内の煙道ガスを生じる。
【０００５】
煙道ガス温度を制御する１つの方法は、ダンパ及びバイパスの使用によるものである。煙道ガスバイパスにより、煙道ガス流の一部はエコノマイザをバイパスし、煙道ガス流の残りの部分はエコノマイザを通過させられる。流れは次いで混合され、全ての煙道ガスがエコノマイザを通過した場合よりも高い温度を有する混合された流れを生ずる。
【０００６】
慣用のボイラは、角度づけられた固定されたベーンを備えたミキサを用いる。これらは、ガスを混合するが、全てのボイラ負荷において圧力降下を生ずる。この圧力降下は、より大きくかつより高価なファンと、補助電力消費の増大とを要求する。
【０００７】
慣用のミキサは、任意のボイラ負荷において、ガスを混合するためのある時間を必要とする。これは、流動するガス流を十分に混合するためのあるダクト長さ（移行部分）と等しい。煙道ダクトの表面と接触する過剰な高温ガスが存在する場合があり、"ホットスポット"を生じる。"ホットスポット"は、一般的に標準金属よりも高価な高温金属を必要とする。より長い移行部分は、システムのコストを増大させる。２つの煙道ガス流をより迅速に、煙道ガスダクトの下流のより短い長さの後に混合する装置を使用することが有利である。これは、移行部分を短縮し、装置を構成するために必要な高温金属を少なくする。
【発明の概要】
【発明が解決しようとする課題】
【０００８】
現在、様々なボイラ負荷における背圧を減じる、ガスをより効率的に混合するための単純かつ安価な装置が必要とされる。
【０００９】
開示は、開示の様々な特徴及び開示に含まれた複数の例の以下の詳細な説明を参照することによってさらに容易に理解される。
【課題を解決するための手段】
【００１０】
本発明は、煙道ガスダクトにおいて２つのガス流を混合するためのダンパ混合装置であって、
複数の調節可能なルーバを有する第１の列のセットを備え、各ルーバは、回転軸において回動可能なルーバベーンを有し、これにより、該ルーバベーンを通過する煙道ガスを混合させる第１の方向に位置決めされるか、又は１つのガス流のみが受け取られている場合には鉛直に位置決めされ、
前記第１の列のセットと交互に配置された第２の列のセットを備え、該第２の列のセットは、複数の調節可能なルーバを有し、各ルーバは、回転軸において回動可能なルーバベーンを有し、これにより、該ルーバベーンは、ガス流を混合させる、第１の方向とは異なる方向に角度づけられるか、又は１つのガス流のみが有効に受け取られている場合には鉛直に位置決めされ、
前記ルーバに接続された制御ユニットを備え、該制御ユニットは、少なくとも２つのガス流が受け取られている場合には前記ルーバベーンを適切な角度づけられた位置に位置決めし、かつ１つのガス流のみが有効に受け取られている場合には前記ルーバベーンを鉛直に位置決めする。
【００１１】
本発明は、様々な負荷において運転する炉から煙道ガスを受け取るためのバックパスを有する煙道ガスダクトシステムであって、
前記煙道ガスから熱を取り出すために機能するバックパス内の少なくとも１つの熱交換器と、
前記煙道ガスを受け取るための、前記バックパスの出口に接続された煙道ガス導管である下側煙道部分と、
下流の煙道ガス処理装置に接続された煙道ガス導管である上側煙道部分と、
前記下側煙道部分から前記上側煙道部分へ前記煙道ガスを搬送するための煙道ガス導管である中間煙道部分と、
エコノマイザの上流において前記バックパスに配置されておりかつ前記中間煙道部分に接続された煙道ガス導管であるバイパスと、
前記下側煙道部分から前記中間煙道部分へ流れる前記煙道ガスの量を調節するための、前記下側ダクト内の入口制御ダンパと、
前記エコノマイザをバイパスする、前記バックパスから前記中間ダクトへ通過する煙道ガスの量を制御するための、前記バイパスダクト内のバイパス制御ダンパと、
前記煙道ガスダクトにおける２つのガス流を混合するためのダンパ混合装置と、を備え、該ダンパ混合装置は、
複数のルーバを有する第１の列のセットを備え、各ルーバは、回転軸において回動可能な調節可能なルーバベーンを有し、これにより、ルーバベーンは、少なくとも２つのガス流が受け取られているときには第１の方向に角度づけられ、前記ルーバベーンを通過する煙道ガスを混合させるか、又は１つのガス流のみが有効に受け取られているときには鉛直に位置決めされ、
前記第１の列のセットと交互に配置された第２の列のセットを備え、各第２の列のセットは、回転軸において回動可能な調節可能なルーバベーンを備えるルーバを有し、これにより、ルーバベーンは、該ルーバベーンを通過するガス流が混合されるように方向付けられるために、前記第１の方向とは異なる方向に角度づけられるか、又は１つのガス流のみが受け取られているときには鉛直に位置決めされ、
少なくとも２つのガス流が受け取られているときには適切な角度づけられた位置に前記ルーバベーンを位置決めし、１つのガス流のみが有効に受け取られているときには前記ルーバベーンを鉛直に位置決めするための、前記ルーバに接続された制御ユニットを備える。
【図面の簡単な説明】
【００１２】
【図１】本発明を用いるエコノマイザバイパス配列の側面図である。
【図２】本発明による煙道ガス混合装置の１つの実施の形態を上方から見た平面図である。
【図３】図２の線"ＩＩＩ−ＩＩＩ"に沿って見たガス混合装置の断面の側面図である。
【図４】図２の線"ＩＶ−ＩＶ"に沿って見たガス混合装置の断面の側面図である。
【発明を実施するための形態】
【００１３】
ここで、同じエレメントが同じ符号で示されている図面を参照する。
【００１４】
ボイラが全容量の近くで運転しているときには、バイパスを通るガス流はほとんど又は全く生じず、１つのガス流のみが有効に存在し、混合の必要はない。ボイラ負荷が減少するにつれて、より多くの量の煙道ガスが、正しい煙道ガス温度を維持するためにエコノマイザをバイパスしなければならず、これにより、２つの異なるガス流を生じる。混合される少なくとも２つのガス流が存在する場合にのみガス混合が必要とされる。従来の設計は、様々なボイラ負荷の区別を行わず、調節可能ではない。したがって、従来の設計は、全てのボイラ負荷において圧力降下を生じる調節不能なミキサを有し、混合が必要とされない最も高いボイラ負荷において、最も高い圧力降下が生じる。
【００１５】
本発明は、１つのガス流のみが有効に流れているときに、最小限の圧力降下を提供する。本発明は、蒸気発生器の全作動範囲にわたって混合を最適化しかつ背圧を最小限に減じるように調節可能でもある。
【００１６】
本発明は、システム資本経費を減じるガスミキサとして運転するための単純な低コストのルーバダンパ設計を用いる。これは、別個のミキサの必要性を排除し、背圧と、関連する動作電力コストとを最小限に減じる。
【００１７】
図１は、本発明を用いるエコノマイザバイパス配列の側面図である。
【００１８】
矢印"Ａ"によって示された、炉における燃焼からのガスは、図１の上部からバックパス１０に進入し、矢印"Ｂ"によって示したように過熱器１１及び再熱器１２を通って下方へ移動する。高温の煙道ガスからの熱は、過熱器１１において蒸気を過熱し、再熱器１２において蒸気を再熱するために利用される。
【００１９】
高いボイラ負荷条件下で、ほとんどの煙道ガスは、矢印"Ｃ"によって示されたようにエコノマイザを通って下方へ移動する。煙道ガスは、エコノマイザ１３における管を通過する給水に熱を伝達し、給水の温度を上昇させる。
【００２０】
煙道ガスにおける灰は、矢印"Ｄ"によって示したように下方へ継続する。灰は、バックパス１０の底部と、灰ホッパ２０における下側煙道部分３０において収集される。
【００２１】
煙道ガスは、下側煙道部分３０における管路を通り、矢印"Ｅ"及び"Ｆ"によって示したように中間煙道部分４０を通って上方へ、矢印"Ｇ"によって示したように上側煙道部分５０を通って、矢印"Ｈ"によって示したように選択接触還元器（"ＳＣＲ"）まで続く。
【００２２】
ボイラがより低い負荷で運転している場合には、煙道ガスは、矢印"Ｉ"によって示したようにバイパスダクト４１を通って、Ｔ部分４３を通って中間煙道部分４０内へ通過させられ、下側煙道部分３０からのガスと混合される。
【００２３】
ＳＣＲが作動していない場合、入口制御ダンパ３５は閉鎖され、煙道ダクト流は、ＳＣＲバイパスダクト３１に進入し、ＳＣＲ６０をバイパスする。選択的に、ＳＣＲバイパスダクト３１を開閉させるように働くＳＣＲバイパスダンパ３２が設けられていてよい。
【００２４】
バイパスダクト４１を通る煙道ガスの流れは、バイパス制御ダンパ４７によって制御される。同様に、下側煙道部分３０を通る煙道ガスの流れは、入口制御ダンパ３５によって制御される。
【００２５】
Ｔ部分４３から下流の、上側煙道部分における温度センサ５１は、煙道ガス温度を制御ユニット７０に提供する。検出された温度に基づいて、制御ユニット７０は、入口制御ダンパ３５及びバイパス制御ダンパ４７を作動させ、温度センサ５１における所望の混合された煙道ガス温度を達成するために適切な混合を提供する。
【００２６】
混合装置は、Ｔ部分４３の下流に配置されている。本発明は、エコノマイザバイパスダクト４１及び下側煙道部分３０からの煙道ガスをより効率的に混合するために、ダンパ混合装置１００を使用する。
【００２７】
図２に示されたダンパ混合装置１００は、２つのガス流を効率的に混合するルーバ混合装置である。
【００２８】
図２は、本発明によるダンパ混合装置１００の１つの実施の形態の平面図である。本発明を、図１及び図２の両方を参照して説明する。図２は、ダンパ混合装置１００を見下ろした、上側煙道部分５０の横断面図を示している。ダンパ混合装置１００の列１１０，１２０における複数のルーバ１１１，１２１が設けられている。この実施の形態において、列１１０のルーバ１１１は一緒に作動する。また、列１２０のルーバ１２１も一緒に作動するが、列１１０とは別個に作動する。
【００２９】
図３は、図２の線"ＩＩＩ−ＩＩＩ"に沿って見たダンパ混合装置の横断面の側面図である。この場合、列１１０のルーバ１１１は、一緒に作動するように示されている。各ルーバ１１１は、回転軸１１５において回動するルーバベーン１１３を有する。この場合、ルーバベーンは、左下から右上への角度に回動させられている。ルーバ１１１を上方へ通過する煙道ガスは、矢印"Ｊ"の方向に方向付けられている。
【００３０】
図４は、図２の線"ＩＶ−ＩＶ"に沿って見たガス混合装置の横断面の側面図である。ここでは、列１２０のルーバ１２１は、一緒に作動するように示されている。各ルーバ１２１は、回転軸１２５において回動するルーバベーン１２３を有する。ここでは、ルーバ１２１は、右下から左上への角度に回動させられている。ルーバ１２１を上方へ通過する煙道ガスは、矢印"Ｋ"の方向に方向付けられる。
【００３１】
択一的な実施の形態において、温度センサ３３は、入口制御ダンパ３５のすぐ上流における煙道ガス温度を検出し、温度センサ４５は、バイパス制御ダンパ４７のすぐ上流における煙道ガス温度を検出する。制御ユニット７０は、入口制御ダンパ３５及びバイパス制御ダンパ４７をどのように制御するかを計算する際に、これらを考慮する。
【００３２】
交互に位置した列１１０，１２０は、混合する煙道ガスに乱流を発生させる。制御ユニット７０は、ルーバ１１１，１２１の回動を操作する。制御ユニット７０は、上側煙道部分５０における（選択的に、入口制御ダンパ３５及びバイパス制御ダンパ４７の近くにおける）煙道ガスの温度についての情報も有する。制御ユニット７０は、バイパス制御ダンパ４７及び入口制御ダンパ３５の開放についての情報も有する。したがって、制御ユニットは、ルーバ１１１及び１２１のための角度位置を計算するためにこの情報を利用することができる。
【００３３】
例えば、バイパス制御ダンパ４７が閉鎖されると、下側煙道部分３０からの煙道ガスの１つの流れのみが存在する。次いで、全てのルーバ１１１，１２１は、この位置におけるガス流に対して平行な鉛直位置に設定され、ダンパ混合装置１００の前後の圧力降下を最小限にする。同様に、全ての煙道ガスがバイパスダクト４１を通過している場合、やはりルーバ１１１，１２１は再び鉛直位置に設定され、やはり圧力降下を最小限にする。制御ユニット７０は、背圧を最小限にしながら混合を最大限にするために、バイパス制御ダンパ４７と、入口制御ダンパ３５との相対的な開放、及び検出された温度にも基づいて、ルーパ１１１，１２１の開放を調節する。
【００３４】
ダンパ混合装置１００を、慣用の固定されたミキサよりも短い距離において２つのガス流の熱的混合を有効に高めるように調整することができる。これは、必要に応じて乱流混合を生ぜしめるようにルーバ１１０，１２０の各列の角度を調節することによって達せられる。
【００３５】
本発明の別の実施の形態においては、温度センサ５１は、上側煙道部分にわたる温度を測定する複数の温度センサを用いる。ダンパ混合装置１００の前後の圧力降下を測定するために、ダンパ混合装置１００のすぐ上流及び下流におけるガス圧力センサも有する。
【００３６】
したがって、制御ユニット７０は、ルーバ１１１，１２１の様々な角度設定を繰り返し試すことができ、上側煙道部分５０にわたる温度を測定し、ダンパ混合装置の前後の圧力降下を関連づけることができる。したがって、圧力降下と温度均一性との組合せを最適化するようなルーバ設定の組合せが提供される。
【００３７】
ダンパ混合装置１００の別の使用は、アンモニア噴射グリッド５５内への下流の流れ分布を改良することである。アンモニア噴射グリッド５５は、ＮＯｘを窒素と水蒸気とに還元するためにＳＣＲ６０における触媒の存在においてＮＯｘと反応するアンモニアの均一な噴射のために使用される。
【００３８】
別の択一的な実施の形態において、本発明は、酸素燃焼（oxy-combustion）において用いることができる。酸素燃焼は、実質的にＣＯ2及び水蒸気である煙道ガスを発生するために、実質的に窒素を含まない環境において燃料を燃焼させるプロセスである。ＣＯ2は水蒸気から分離され、ＣＯ2は隔離されて貯蔵される。
【００３９】
本発明は、混合された流れへの酸素の均一な分配を提供するために、再循環された煙道ガス流に酸素流を混合するために用いることができる。
【００４０】
本発明は、従来技術において言及された課題を克服する。したがって、単純なルーバ設計は、従来のガスミキサ設計よりもコストを節約することが期待される。調節可能なルーバ設計は、高いボイラ負荷の場合に圧力降下を最小限に減じる。これは、より大きくかつより高価なファン及びブロワ機器の必要性を減じる。
【００４１】
煙道ガスは、ダンパ混合装置１００の下流におけるより短い移行領域においてより迅速に混合する。これは、より少ない高温材料を必要とし、より安価に構成することができる。
【００４２】
付加的な利点は、ＳＣＲが運転していないときにＳＣＲへの煙道ガスを遮断するなど、システムが運転していないときの付加的な煙道ガス遮断能力を提供するために、ダンパ混合装置１００が全てのルーバ１１１，１２１を閉鎖することができるということである。
【００４３】
そうでないことが明示されない限り、ここに開示された全ての範囲は、包括的であり、その範囲における終点及び全ての中間点において組合せ可能である。"第１の"、"第２の"及び同様の用語は、ここではいかなる順序、質又は重要性も意味せず、１つの要素を別の要素から区別するために使用されている。ここでの単数の用語は、量の制限を意味せず、言及された部材のうちの少なくとも１つの存在を意味する。"約"によって修正された全ての数字は、そうでないことが明示されない限り、正確な数値を含む。
【００４４】
この記載された説明は、最良の形態を含む発明を開示するために、及びあらゆる当業者が発明を実施及び使用することを可能にするために、複数の例を用いている。発明の特許可能な範囲は、請求項によって規定されており、当業者に想起されるその他の例を含んでよい。このようなその他の例は、請求項の文字言語と異ならない構造的要素を有するならば、又は請求項の文字言語との僅かな相違を有する均等の構造的要素を有するならば、請求項の範囲内にあることが意図されている。
【符号の説明】
【００４５】
１０  バックパス、  １１  過熱器、  １２  再熱器、  １３  エコノマイザ、  ２０  灰ホッパ、  ３０  下側煙道部分、  ３１  ＳＣＲバイパスダクト、  ３２  ＳＣＲバイパスダンパ、  ３３  温度センサ、  ３５  入口制御ダンパ、  ４０  中間煙道部分、  ４１  バイパスダクト、  ４３  Ｔ部分、  ４５  温度センサ、  ４７  バイパス制御ダンパ、  ５０  上側煙道部分、  ５１  温度センサ、  ５５  アンモニア噴射グリッド、  ７０  制御ユニット、  １００  ダンパ混合装置、  １１０，１２０  列、  １１１，１２１  ルーバ、  １１３，１２３  ルーバベーン、  １１５，１２５  回転軸
【図１】
0005705267.tif 000002
【図２】
0005705267.tif 000003
【図３】
0005705267.tif 000004
【図４】
0005705267.tif 000005